(57)【特許請求の範囲】
【請求項１】
フェイスに複数の突出部を備え、その突出部にはシャワー流路を貫設するとともに、前記突出部の突端面に前記シャワー流路の散水口が開口しているシャワーヘッドにおいて、
前記突出部の前記突端面は凹部を有するとともに、前記散水口は前記凹部の底面に配置され、前記シャワー流路は傾斜されるとともに、前記凹部の前記底面は、前記シャワー流路の傾斜方向側の部分ほど後退するように傾斜しており、全ての前記突出部の外周面は、シャワー吐水範囲の中心線に沿って平行に延びている部分を有することを特徴とするシャワーヘッド。
【請求項２】
フェイスに複数の突出部を備え、その突出部にはシャワー流路を貫設するとともに、前記突出部の突端面に前記シャワー流路の散水口が開口しているシャワーヘッドにおいて、
前記突出部の前記突端面は凹部を有するとともに、前記散水口は前記凹部の底面に配置され、前記シャワー流路は傾斜されるとともに、前記凹部の前記底面は、前記シャワー流路の傾斜方向側の部分ほど後退するように傾斜しており、シャワー吐水範囲の中心線に沿って外方側に配置された前記突出部の前記凹部ほど、前記底面の傾斜角度が大きいことを特徴とするシャワーヘッド。
【請求項３】
請求項１又は２に記載のシャワーヘッドにおいて、
前記複数の突出部の前記突端面は同一の平面上に配置されている
ことを特徴とするシャワーヘッド。
【請求項４】
請求項１に記載のシャワーヘッドにおいて、
シャワー吐水範囲の中心線に沿って外方側に配置された前記突出部の前記凹部ほど、前記底面の傾斜角度が大きいことを特徴とするシャワーヘッド。
【請求項５】
請求項１〜４のいずれか１項に記載のシャワーヘッドにおいて、
前記複数の突出部が一体に形成された散水プレートと、前記散水プレートの外側に位置して前記複数の突出部が貫通する孔を有するインナーフェイスと、前記インナーフェイスの外側に着脱可能に取付けられて前記複数の突出部が貫通する孔を有するアウターフェイスとを備え、
前記突出部の先端が前記アウターフェイスの孔から突出している
ことを特徴とするシャワーヘッド。
【発明の詳細な説明】
【技術分野】
【０００１】
本発明は、浴室やシャワー室等で使用され、湯や水、湯水混合水（以下、総称して湯水という）を吐水するシャワーヘッドに関するものである。
【背景技術】
【０００２】
この種のシャワーヘッドが特許文献１に開示されている。このシャワーヘッドでは、シャワーフェイスの外周側の散水口が外向きに傾斜され、湯水が外方に吐水されてシャワー吐水範囲が拡大されるようにしている。
【先行技術文献】
【特許文献】
【０００３】
【特許文献１】特開２００２−４３６８号公報（明細書の段落［００２２］、図面の図３等）
【発明の概要】
【発明が解決しようとする課題】
【０００４】
特許文献１のシャワーヘッドでは、フェイスの前面がフラットに形成され、その前面に散水口が開口されている。そして、傾斜された散水口が位置するフェイス前面の外周部は、外周側ほど後退するように傾斜されている。このため、散水口の開口面も外向きに傾斜されてシャワーが外方へ吐水され、吐水範囲が広がる。
【０００５】
ここでフェイスの前面に複数の突出部を配列して、その突出部の突端に散水口を開口させるとともに、シャワー吐水方向を外方へ傾斜させ、それに応じて突端面を傾斜させた場合は、その傾斜面が目立って外観が低下する。これを回避するために各突出部の突端面が同一平面上に位置するようにした場合には、散水口におけるフェイス外周側の縁部が内周側の縁部より突出される。このため、外方に向かって吐水される湯水が散水口の外周側の縁部によって遮られて、吐水の広がりが阻害されたり、吐水の飛び散りが生じたりするおそれもある。
【０００６】
本発明は、そうした実情に鑑みてなされたものであり、その目的は、良好な外観を得ることができるシャワーヘッドを提供することにある。
【課題を解決するための手段】
【０００７】
上記課題を解決するためのシャワーヘッドは、フェイスに複数の突出部を備え、その突出部にはシャワー流路を貫設するとともに、前記突出部の突端面に前記シャワー流路の散水口が開口しているシャワーヘッドにおいて、前記突出部の前記突端面は凹部を有するとともに、前記散水口は前記凹部の底面に配置され、前記シャワー流路は傾斜されるとともに、前記凹部の前記底面は、前記シャワー流路の傾斜方向側の部分ほど後退するように傾斜している。
【０００８】
このように構成すれば、シャワー流路を傾斜させて、突出部の突端に散水口を開口させても、凹部の底面がシャワー流路の傾斜方向側ほど後退するように傾斜して、散水口の傾斜方向側の縁部が後退するため、散水口から傾斜方向に向けて乱れることなく吐水することができる。しかも、突出部の傾斜面は凹部内に位置するため、各突出部の外観の低下を抑えることができる。従って、シャワーヘッドとして良好な意匠性を得ることができる。
【発明の効果】
【０００９】
本発明のシャワーヘッドによれば、良好な外観を得ることができるという効果を奏する。
【図面の簡単な説明】
【００１０】
【図１】一実施形態のシャワーヘッドの斜視図。
【図２】散水ユニット本体を分解して示すシャワーヘッドの分解斜視図。
【図３】散水ユニット本体及びその周辺の断面図。
【図４】シャワー流路及びその周辺を拡大して示す断面図。
【発明を実施するための形態】
【００１１】
以下、シャワーヘッドの一実施形態を図１〜図４に基づいて説明する。
図１及び図２に示すように、本実施形態のシャワーヘッド１１は、把持部１２と、その把持部１２の先端部に取付けられた四角形の散水ユニット１３とを備えている。
【００１２】
図３に示すように、前記把持部１２のハウジング１４内には、通水路を形成するインナーパイプ１５が組込まれている。インナーパイプ１５の基端には、シャワーホース（図示しない）が接続されている。インナーパイプ１５の先端には、前記散水ユニット１３が接続されている。
【００１３】
図２及び図３に示すように、散水ユニット１３は、バックカバー２１と、バックカバー２１の前面に位置するフェイスフレーム２２と、そのフェイスフレーム２２の前面に取付けられたフェイスプレート２４と、そのフェイスプレート２４の前面に取付けられた散水プレート２５と、その散水プレート２５の前面に取付けられたインナーフェイス２６とを備えている。散水ユニット１３の前面側にはアウターフェイス２７が着脱可能に取付けられている。フェイスフレーム２２、フェイスプレート２４及びインナーフェイス２６は硬質の合成樹脂材料によって形成されており、散水プレート２５は、フェイスフレーム２２、フェイスプレート２４及びインナーフェイス２６より軟質の合成ゴム材料によって形成されている。また、アウターフェイス２７は、散水プレート２５よりさらに軟質の合成ゴム材料によって形成されている。
【００１４】
そして、フェイスプレート２４の表裏両面及び外周面と前記フェイスフレーム２２及び散水プレート２５との間には流路３１が形成されている。
図１〜図３に示すように、前記散水プレート２５には、複数の突出部としての散水ノズル２５１が一体に形成されるとともに、縦横に等間隔をおいて配置されている。この散水ノズル２５１は、インナーフェイス２６及びアウターフェイス２７の孔２６１，２７１を通って、先端部が前方に突出している。図４に示すように、各散水ノズル２５１には、シャワー流路２５３が貫設され、その先端の散水口２５２が散水ノズル２５１の突端に開口している。そして、前記シャワーホースからの湯水が、インナーパイプ１５を通り、シャワー流路２５３を通って、散水ノズル２５１の散水口２５２からシャワーとして吐水される。
【００１５】
以下、各散水ノズル２５１の形状について詳細に説明する。
図４に示すように、各散水ノズル２５１及び各シャワー流路２５３は、四角形状のシャワー吐水範囲ＡＲの中心線Ｌに沿う方向に延び、シャワー吐水範囲ＡＲの中心線Ｌ側に位置する散水ノズル２５１及びシャワー流路２５３を除いて、散水口２５２側が細くなるテーパ形状に形成されている。本実施形態においては、中心線Ｌ側に位置する散水ノズル２５１及びシャワー流路２５３は中心線Ｌと平行に延び、その外周側の散水ノズル２５１及びシャワー流路２５３はシャワー吐水範囲ＡＲの斜め外方を指向するように傾斜されている。
【００１６】
そして、前記外周側の各散水ノズル２５１の外周面の外方側、及び外周側の各シャワー流路２５３の内面の外方側は、中心線Ｌと平行に延びている。また、前記外周側の各散水ノズル２５１の外周面の中心線Ｌ側、及び外周側の各シャワー流路２５３の内面の中心線Ｌ側は、シャワー吐水範囲ＡＲの斜め外方を指向するように傾斜されている。そして、シャワー吐水範囲ＡＲの外方側に位置する散水ノズル２５１ほど、中心線Ｌ側の外周面の傾斜角度が大きくなっており、シャワー吐水範囲ＡＲの外方側に位置するシャワー流路２５３ほど、中心線Ｌ側の内面の傾斜角度が大きくなっている（α１＜α２＜α３＜α４）。従って、本実施形態においては、シャワー吐水範囲ＡＲの外方側に位置する散水ノズル２５１及びシャワー流路２５３ほど、外方への傾斜角度が大きくなっている。
【００１７】
散水ノズル２５１の突端面２５４には、散水口２５２の周縁を底面２５５とする凹部２５６が設けられている。凹部２５６の底面２５５は、シャワー流路２５３の中心線Ｍと直交する面に対して外方側ほど後退するように傾斜している。従って、底面２５５は中心線Ｌと直交する面に対して、外方側ほど後退するように傾斜している。そして、こうした凹部２５６の底面２５５の傾斜角度は、外方側に配置された散水ノズル２５１の凹部２５６ほど大きい角度になっている（β１＜β２＜β３＜β４）。各散水ノズル２５１の突端面２５４は、中心線Ｌに対して直交する同一の平面上に形成されている。
【００１８】
以上の実施形態により発揮される作用効果について以下にまとめて記載する。
（１）散水ノズル２５１の突端面２５４には散水口２５２の周縁を底面２５５とする凹部２５６が設けられており、この凹部２５６の底面２５５は、中心線Ｌと直交する面に対して、外方側ほど後退するように傾斜している。
【００１９】
こうした構造では、シャワー吐水範囲ＡＲの中心線Ｌに対してシャワー流路２５３の散水口２５２の開口方向を外方に傾けることができるため、散水口２５２からの湯水の吐水方向を外向きに傾けて、シャワー吐水範囲ＡＲを拡げることができる。従って、広い範囲に湯水を吐水することができるようになる。しかも、湯水を広範囲に拡散させるために散水ノズル２５１の突端面２５４に底面２５５が傾斜した凹部２５６が形成されるとはいえ、その突端面２５４は同一平面上に位置するため、各散水ノズル２５１の外観を揃えることができる。従って、散水ノズル２５１の外観低下を抑制して、良好な意匠性を得ることができる。すなわち、湯水の吐水方向を定めるために凹部２５６の底面２５５をどのような傾斜角度にしても、各散水ノズル２５１の突端面２５４が同一の平面上位置にすることができるため、高い意匠性を得ることができる。
【００２０】
しかも、凹部２５６の底面２５５は、シャワー吐水範囲ＡＲの外方側の部分ほど後退するようにシャワー流路２５３の傾斜方向に傾斜しているため、散水口２５２のシャワー吐水範囲ＡＲの外方側の縁部が後退されている。従って、散水口２５２からの吐水は散水口２５２の縁部によって殆ど阻害されることなくシャワーとなる。従って、シャワー吐水範囲ＡＲを大きく広げたとしても、流れが乱れないシャワー吐水が可能となる。
【００２１】
（２）外方側に配置されるシャワー流路２５３ほど、中心線Ｌに対する外方への傾斜角度が大きくなっている。従って、シャワー吐水範囲ＡＲを拡げることができる。
（３）各シャワー流路２５３は散水口２５２側ほど細くなるテーパ形状に形成されている。このため、シャワー流路２５３の内部の湯水の流速を高めることができ、各散水口２５２から湯水を勢いよく吐水することができる。
【００２２】
（４）各散水ノズル２５１の外周面の外方側と、各シャワー流路２５３内面の外方側とには、中心線Ｌと略平行に延びる部分が形成されている。これにより、金型を用いて散水プレート２５を成形する場合に、金型の離型を無理なく行うことができるため、金型の成形面を可動中子で構成するような必要はなく、金型の構成を簡素化できるとともに、金型の耐久性を向上させることができる。
【００２３】
（５）各散水ノズル２５１は、散水口２５２側が細くなるテーパ形状に形成されている。そのため、シャワーヘッド１１の組立時に、散水ノズル２５１をインナーフェイス２６の孔２６１やアウターフェイス２７の孔２７１に無理なく挿入することができ、組立てが簡単になる。しかも、散水ノズル２５１がアウターフェイス２７より硬質であるため、アウターフェイス２７の孔２７１に散水ノズル２５１を挿入する際に、散水ノズル２５１が変形しにくい。従って、シャワーを散水ノズル２５１の突出方向に沿って意図する方向に吐水できるとともに、湯水の飛び散りを抑えることができる。
【００２４】
（６）各凹部２５６の底面２５５の傾斜角度は、外方側に配置された散水ノズル２５１ほど大きい角度になっている。これにより、外方側に配置される散水口２５２ほど湯水の吐水方向を外向きに傾けることができるため、シャワー吐水範囲ＡＲを拡げることができる。
【００２５】
（変更例）
なお、前記実施形態を次のように変更して実施することも可能である。
・シャワー吐水範囲ＡＲの外方側のシャワー流路２５３を、テーパ状ではなく、同一の断面形状で直線状に延びる形状にすること。
【００２６】
・アウターフェイス２７外面における各散水ノズル２５１の配置を任意に変更すること。こうした構成において、シャワー吐水範囲が円形、楕円形、略正多角形状などになる場合には、その形状の対称軸をシャワー吐水範囲の中心線にすることができる。その他、シャワー吐水範囲が線対称形状や非対称形状になる場合には、その形状の重心位置や中央部分を、シャワー吐水範囲の中心線にすることができる。
【００２７】
・各凹部２５６の底面２５５の傾斜角度を、シャワー流路２５３の中心線Ｍと直交する角度にすること。
・前記実施形態では、シャワー吐水範囲ＡＲの外方側のシャワー流路２５３ほど外方に傾斜させてシャワー吐水範囲ＡＲを広げるようにしたが、例えばシャワー流路２５３を、中心線Ｌ方向に向く内向きにしたり、中心線Ｌを中心とした円の周方向を向くようにしたりするなど、シャワー流路２５３の傾斜方向を適宜に変更すること。
【００２８】
・散水プレート２５やアウターフェイス２７を硬質の合成樹脂材料で形成すること。
・フェイスフレーム２２、フェイスプレート２４、散水プレート２５、インナーフェイス２６、アウターフェイス２７の少なくともひとつを金属材料によって形成すること。
【符号の説明】
【００２９】
１１…シャワーヘッド、１３…散水ユニット、２４…フェイスプレート、２５…散水プレート、２５１…散水ノズル、２５２…散水口、２５３…シャワー流路、２５４…突端面、２５５…底面、２５６…凹部、２６…インナーフェイス、２６１…孔、２７…アウターフェイス、２７１…孔。
【図１】
0006749778.tif 000002
【図２】
0006749778.tif 000003
【図３】
0006749778.tif 000004
【図４】
0006749778.tif 000005